(57)【要約】【課題】料理や食品などの物体と人とが同時に存在する空間において物体および人の両方の見え方を改善させることができる照明器具を提供する。【解決手段】照明器具１０は、天井１２に設置され、人３２への配光が可能な対人用光源１６と、物体３３への配光が可能な対物用光源１８とを備えている。さらに、照明器具１０は、対物用光源１８で照射した物体３３の色度をセンサーで検知し、検知した色度情報に基づいて物体３３の本来の色を強調するように対物用光源１８の発光状態を調整可能なフィードバック制御手段２０を備えている。そして、対人用光源１６には平均演色評価数（Ｒａ）の高い光源が用いられている。【選択図】図２
2012074212.tif 000002
【特許請求の範囲】
【請求項１】
天井設置または天井から吊り下げられた照明器具であって、
人への配光が可能で、平均演色評価数（Ｒａ）の高い光源を用いた対人用の光源と、
物体への配光が可能な対物用の光源と、
前記対物用の光源で照射した前記物体の色度をセンサーで検知し、検知した色度情報に基づいて前記物体の本来の色を強調するように前記対物用の光源の発光状態を調整可能なフィードバック制御手段と、
を備えた照明器具。
【発明の詳細な説明】
【技術分野】
【０００１】
本発明は、天井設置または天井から吊り下げられ、人や物体への配光が可能な光源を備えた照明器具に関する。
【背景技術】
【０００２】
照明器具のなかには、主に食品スーパーの平台を照射するスポットライトやユニバーサルダウンライトなど食品や料理専用の物品を照射するもの（鮮魚用ミラーなど）がある。
この照射器具は、食品や料理の物品の色味を明瞭に表現するために、食品や料理の物品に応じて特定の波長を強調することが可能である。
【０００３】
よって、この照明器具を飲食店のテーブル席や家庭の食卓テーブル用に使用すると、食品や料理の物品の色味を強調して食欲を高めることが可能になり好ましい。
しかし、この照明器具は、食品や料理の物品の色味を強調可能であるが、料理の周囲に座る人への配慮はなされていない。
【０００４】
一方、照明器具のなかには、配光特性が異なる第１発光部と第２発光部とを備え、第１発光部から発光された光で第１所定部位を照射するとともに、第２発光部から発光された光で第２所定部位を照射するものが知られている（例えば、特許文献１参照）。
【先行技術文献】
【特許文献】
【０００５】
【特許文献１】特開２００９−１４０８２６号公報（要約の解決手段、図２、図１７）
【発明の概要】
【発明が解決しようとする課題】
【０００６】
特許文献１の照明器具を用いることにより、例えば、第１発光部から発光された光で料理や食品などの物体を照射するとともに、第２発光部から発光された光で人を照射することが可能である。
よって、特許文献１の照明器具に食品や料理の物品に応じて特定の波長を強調する機能を備えることにより、料理や食品などの物体の色味を強調することが可能である。
【０００７】
しかし、特許文献１の照明器具を飲食店のテーブル席や家庭の食卓テーブル用に使用した場合、料理や食品などの物体の色味は強調されるものの、食品や料理の物品の周囲に座る人を良好に見えるようにすることは難しい。
具体的には、食品や料理の物品の周囲に座る人が赤みがかったり、緑がかったりして違和感を感じることになり、この観点から改良の余地が残されている。
【０００８】
本発明は、前述した課題を解決するためになされたものであり、その目的は、料理や食品などの物体と人とが同時に存在する空間において物体および人の両方の見え方を改善させることができる照明器具を提供することにある。
【課題を解決するための手段】
【０００９】
本発明は、天井設置または天井から吊り下げられた照明器具であって、人への配光が可能で、平均演色評価数（Ｒａ）の高い光源を用いた対人用の光源と、物体への配光が可能な対物用の光源と、前記対物用の光源で照射した前記物体の色度をセンサーで検知し、検知した色度情報に基づいて前記物体の本来の色を強調するように前記対物用の光源の発光状態を調整可能なフィードバック制御手段と、を備えた。
【発明の効果】
【００１０】
本発明の照明器具によれば、人への配光が可能な対人用光源と、物体への配光が可能な対物用光源とを備えている。対人用光源に平均演色評価数（Ｒａ）の高い光源を用いた。
対物用の光源の発光状態をフィードバック制御手段で制御して物体の本来の色を強調することが可能である。
これにより、料理や食品などの物体と人とが同時に存在する空間において両方の見え方を改善させることができるという効果を有する。
【図面の簡単な説明】
【００１１】
【図１】本発明に係る照明器具の第１実施形態を示す側面図
【図２】図１の照明器具を拡大した状態で示す断面図
【図３】第１実施形態の照明器具を使用した状態で示す側面図
【図４】第１実施形態の照明器具を示す斜視図
【図５】第１実施形態の照明器具を示す底面図
【図６】平均演色評価数（Ｒａ）を示す図
【図７】本発明に係る照明器具の第２実施形態を示す側面図
【図８】特殊演色評価数（Ｒ１５）を示す図
【発明を実施するための形態】
【００１２】
以下、本発明の実施形態に係る照明器具について図面を参照して説明する。
【００１３】
（第１実施形態）
図１に示すように、本発明の第１実施形態である照明器具１０は、天井１２に設置された器具本体１４と、器具本体１４の外周に沿って設けられた対人用の光源（以下、「対人用光源」という）１６と、器具本体１４の中央に設けられた対物用の光源（以下、「対物用光源」という）１８と、対物用光源１８の発光状態を調整可能なフィードバック制御手段２０とを備えたダウンライトやシーリングライトである。
【００１４】
図２に示すように、器具本体１４は、天井１２に設置され、放熱部２２、電源部２３および制御部２４が内蔵され、下端部１４Ａの中央１４Ｂ（図５参照）に色度センサー（センサー）２５が設けられている。
制御部２４および色度センサー２５は、後述するフィードバック制御手段２０の構成部材である。
【００１５】
図３に示すように、対人用光源１６は、飲食店のテーブル席や家庭の食卓テーブル３１の周囲に座った人３２の顔３２Ａへの配光が可能な光源である。
図４、図５に示すように、対人用光源１６は、器具本体１４のうち下端部１４Ａの外周１４Ｃに沿って複数の対人用ＬＥＤ１７が円弧状に設けられている。
対人用ＬＥＤ１７として、人３２の顔３２Ａ（図３参照）を自然に見せることが可能な平均演色評価数（Ｒａ）の高いものを用いることが望ましい。
【００１６】
図６に示す平均演色評価数（Ｒａ）は、光源の色の見え方（演色性）の良い・悪いを表す代表的な指数である。
この平均演色評価数（Ｒａ）は、中程度の鮮やかさで明るさが等しい８色（Ｎｏ．１〜Ｎｏ．８）の試験色票の色ズレの平均値から算出され、基準光で見た各色彩に対し、それぞれのランプで照明したときの各色彩の再現がどれだけ”忠実”かを示す。
【００１７】
図３に示すように、対物用光源１８は、飲食店のテーブル席や家庭の食卓テーブル３１に載置された料理や食品などの物体３３への配光が可能な光源である。
図４、図５に示すように、対物用光源１８は、器具本体１４のうち下端部１４Ａの中央１４Ｂ近傍において赤色ＬＥＤ３４、緑色ＬＥＤ３５、青色ＬＥＤ３６、白色ＬＥＤ３７および電球色ＬＥＤ３８が円弧状に等間隔に設けられている。
【００１８】
図２に示すように、フィードバック制御手段２０は、器具本体１４のうち下端部１４Ａの中央１４Ｂ（図５参照）に設けられた色度センサー２５と、器具本体１４に内蔵された制御部２４とを備えている。
【００１９】
色度センサー２５は、飲食店のテーブル席や家庭の食卓テーブル３１に載置された物体３３（図３参照）の色度を検知するセンサーである。
【００２０】
制御部２４は、色度センサー２５で検知した検知情報に基づいて、色度センサー２５で検知した物体の色度成分を対物用光源１８から多く出力するように対物用光源１８（赤色ＬＥＤ３４、緑色ＬＥＤ３５、青色ＬＥＤ３６、白色ＬＥＤ３７および電球色ＬＥＤ３８）の発光状態を制御するものである。
【００２１】
つぎに、照明器具１０で物体３３の本来の色を強調した状態に物体３３を照射する例を図２、図３および図５に基づいて説明する。
図２に示す照明器具１０の電源を入れることにより電源部２３がオンになり、図５に示す対物用光源１８の白色ＬＥＤ３７が発光して物体３３（図３参照）を照射する。
図３に示すように、白色ＬＥＤ３７で物体３３を照射した状態において、物体３３の色度を色度センサー２５（図５参照）で検知し、検知した色度情報（色度成分）を色度センサー２５から制御部２４（図２参照）に伝える。
【００２２】
図２に示す制御部２４において伝えられた色度情報（色度成分）を演算処理し、図５に示す対物用光源１８（赤色ＬＥＤ３４、緑色ＬＥＤ３５、青色ＬＥＤ３６、白色ＬＥＤ３７および電球色ＬＥＤ３８）の各色の出力状態（発光状態）を決定する。
決定した出力状態（発光状態）を、図５に示す制御部２４から対物用光源１８に伝える。
【００２３】
制御部２４からの発光信号に基づいて、図５に示す対物用光源１８の赤色ＬＥＤ３４、緑色ＬＥＤ３５、青色ＬＥＤ３６、白色ＬＥＤ３７および電球色ＬＥＤ３８の発光状態を制御する。
このように、色度センサー２５で検知した色度成分を対物用光源１８で多く出力することにより物体の本来の色を強調できる。
【００２４】
以上説明したように、第１実施形態の照明器具１０によれば、図３に示す人３２への配光が可能な対人用光源１６と、物体３３への配光が可能な対物用光源１８とを備えている。
対人用光源１６として平均演色評価数（Ｒａ）の高い光源を用いることにより人３２の顔を自然に見せることが可能である。
対物用光源１８は、複数のＬＥＤ３４〜３８（図５参照）が設けられ、フィードバック制御手段２０（図２参照）が設けられている。
【００２５】
図２に示すフィードバック制御手段２０によれば、物体３３の色度を色度センサー２５で検知し、検知した色度情報に基づいて対物用光源１８の発光状態を調整することにより物体３３（図３参照）の本来の色を強調することが可能である。
これにより、図３に示すように、料理や食品などの物体３３と人３２とが同時に存在する空間において両方の見え方を改善させることができる。
【００２６】
（第２実施形態）
つぎに、第２実施形態の照明器具５０を図７に基づいて説明する。なお、第２実施形態において第１実施形態の照明器具１０と同一・類似部材については同じ符号を付して説明を省略する。
図７に示すように、本発明の第２実施形態である照明器具５０は、天井１２から吊り下げられたペンダントライトであり、その他の構成は第１実施形態の照明器具１０と同じである。
【００２７】
第２実施形態の照明器具５０を天井１２から吊り下げられたペンダントライトとして用いることにより照明器具１０，５０の用途の拡大を図ることができる。
加えて、第２実施形態の照明器具５０によれば、第１実施形態の照明器具１０と同様の効果を得ることができる。
【００２８】
なお、本発明に係る照明器具は、前述した第１実施形態および第２実施形態に限定されるものではなく適宜変更、改良等が可能である。
例えば、第１実施形態および第２実施形態では、器具本体１４の外周１４Ｃに対人用光源１６を設け、器具本体１４の中央１４Ｂに対物用光源１８を設けた例について説明したが、これに限らないで、光学部品（レンズや反射板）を用いて対人用光源１６で人３２への配光を可能とし、対物用光源１８で物体３３への配光を可能とすることも可能である。
【００２９】
よって、光学部品（レンズや反射板）を用いることにより、対人用光源１６および対物用光源１８の配置箇所を決める際の自由度を高めることができる。
これにより、照明器具１０，５０の意匠性（デザイン性）を一層高めることが可能である。
【００３０】
また、第１実施形態および第２実施形態では、対人用光源１６に平均演色評価数（Ｒａ）の高いものを用いた例について説明したが、これに限らないで、図８に示す特殊演色評価数のなかで日本人の肌色）の値が高いＲ１５（すなわち、Ｎｏ．１５）を用いることも可能である。
【００３１】
さらに、第１実施形態および第２実施形態で使用した照明器具、対人用光源、対物用光源および色度センサー等の形状や構成は例示したものに限定するものではなく適宜変更が可能である。
【符号の説明】
【００３２】
１０，５０  照明器具
１２  天井
１６  対人用光源（対人用の光源）
１８  対物用光源（対物用の光源）
２０  フィードバック制御手段
２４  制御部
２５  色度センサー（センサー）
３２  人
【図１】
2012074212.tif 000003
【図２】
2012074212.tif 000004
【図３】
2012074212.tif 000005
【図４】
2012074212.tif 000006
【図５】
2012074212.tif 000007
【図６】
2012074212.tif 000008
【図７】
2012074212.tif 000009
【図８】
2012074212.tif 000010